(57)【要約】【課題】洗浄対象容器が上窄まり形状の容器であっても、容器内の底面から口部にいたる全体を効率良く洗浄することができ、しかも、洗浄体の位置ずれ防止構造の簡素化を図りながら、容器の底面洗浄時の洗浄長さを自由に調節する。【解決手段】柄本体部２の先端に洗浄保持部３が形成されている柄Ａと、洗浄保持部３に対して脱着可能に外装される筒状又は袋状の洗浄体Ｂと、が備えられている洗浄具であって、柄Ａの洗浄保持部３の基端側部位は、柄本体部２と洗浄保持部３の先端側部位とが平行又は略平行になる状態で二度屈曲形成され、洗浄保持部３の先端とこれに正規装着姿勢で外装された洗浄体Ｂの先端との間に、洗浄体Ｂの先端部Ｂ１ａの屈曲を許容する空隙部４が形成され、洗浄体Ｂの基端側の装着口部２０は、洗浄保持部３の先端側屈曲部３０ａを少なくとも越えた柄長手方向での移動抵抗の大きな領域に配置されている。【選択図】図４
2019010422.tif 000002
【特許請求の範囲】
【請求項１】
柄本体部の先端に洗浄保持部が形成されている柄と、前記洗浄保持部に対して脱着可能に外装される筒状又は袋状の洗浄体と、が備えられている洗浄具であって、
前記柄の前記洗浄保持部の基端側部位は、前記柄本体部と前記洗浄保持部の先端側部位とが平行又は略平行になる状態で二度屈曲形成され、
前記洗浄保持部の先端とこれに正規装着姿勢で外装された前記洗浄体の先端との間に、当該洗浄体の先端部の屈曲を許容する空隙部が形成され、
前記洗浄体の基端側の装着口部は、前記洗浄保持部の先端側屈曲部を少なくとも越えた柄長手方向での移動抵抗の大きな領域に配置されている洗浄具。
【請求項２】
前記洗浄体の装着口部は、前記洗浄保持部の基端側屈曲部を越えた柄長手方向での移動抵抗の最も大きな領域に配置されている請求項１記載の洗浄具。
【請求項３】
前記洗浄保持部における先端から所定長さの領域は、二股状に分かれた一対の保持体から構成され、前記両保持体の先端での外側面間の幅寸法は、前記洗浄体の幅方向の内寸法よりも大に構成され、前記両保持体は、前記外側面間の幅寸法が前記洗浄体の幅方向の内寸法と同一又はそれよりも小となる状態にまで幅方向内方側に撓み変形可能に構成されている請求項１又は２記載の洗浄具。
【請求項４】
前記洗浄体には、地組織部の一側面に掻き取り用の立毛繊維群と拭き取り用の立毛繊維群とを形成してある洗浄用布帛が備えられている請求項１〜３のいずれか１項に記載の洗浄具。
【請求項５】
前記洗浄体には、前記洗浄用布帛の地組織部の他側面に貼着される連続気泡の弾性発泡体が備えられている請求項４記載の洗浄具。
【発明の詳細な説明】
【技術分野】
【０００１】
本発明は、水筒（マグボトルを含む）、コップ、冷水筒、タンブラー、ポット等の容器の洗浄に用いられる洗浄具に関する。
【背景技術】
【０００２】
上述の洗浄具として、例えば、特許文献１に示すボトル用洗浄具が存在する。このボトル用洗浄具は、２条の撚り合わされた金属線材間に多数の繊維製のブラシ毛を略連続状に挾持させてある棒状ブラシと、当該棒状ブラシの金属線材の基部を固定保持する柄とを備える。棒状ブラシの基端側部位は、鈍角の交差角度で二度屈曲形成され、棒状ブラシの先端側部位は、ブラシ長手方向に対して直角に屈曲形成されている。
【０００３】
そして、棒状ブラシは、上述の構成により、柄からブラシ長手方向に沿って前方側に延出される第１洗浄ブラシ部と、当該第１洗浄ブラシ部の先端から外方前方側に向かって斜め方向に延出される第２洗浄ブラシ部と、当該第２洗浄ブラシ部の先端からブラシ長手方向に沿って前方側に延出される第３洗浄ブラシ部と、第３洗浄ブラシ部の先端からブラシ長手方向に対して直角に延出される第４洗浄ブラシ部と、が備えられている。
【０００４】
また、他の洗浄具として、特許文献２に示す洗浄具が存在する。この洗浄具は、柄本体部の先端に洗浄保持部が形成されている柄と、洗浄保持部に対して柄長手方向から脱着可能に外装される袋状の洗浄体と、が備えられている。洗浄保持部は、柄本体部の先端に連設される略半円筒形状の胴部と、この胴部の先端に連設される略円形状の端板とからなる。端板は胴部の長手方向に対して直交方向にＬ字状に突出形成されている。
また、洗浄保持部の基端部位には、洗浄体の基端部位に形成された係止孔と係合する係合ピンが設けられている。この洗浄保持部の基端部位の係合ピンに洗浄体の基端部位の係止孔を係合させることにより、洗浄体の基端部が所定装着位置に保持される。
【先行技術文献】
【特許文献】
【０００５】
【特許文献１】特開２０１７−０５６３６６号公報
【特許文献２】実用新案登録第３１５６３１８号公報
【発明の概要】
【発明が解決しようとする課題】
【０００６】
前者の洗浄具では、棒状ブラシの第３洗浄ブラシ部の先端からブラシ長手方向に対して直角に延出される第４洗浄ブラシ部により、容器内の底面を容易に洗浄することができる。また、容器口部の内径が容器底部の内径よりも小さい上窄まり形状の容器の場合でも、棒状ブラシの第１洗浄ブラシ部と第２洗浄ブラシ部と第３洗浄ブラシ部とにより、容器における口部から肩部、周壁部にかけての各内面を効率良く洗浄することができる。
しかしながら、棒状ブラシの第４洗浄ブラシ部は、第３洗浄ブラシ部の先端から直角に折り曲げ形成されているため、容器の口部に対して棒状ブラシを挿入する際、第４洗浄ブラシ部が容器の口部に引っ掛かるなどして挿入の邪魔になり易い。しかも、この第４洗浄ブラシ部は、容器内の底面の洗浄に専ら用いられるもので、容器内の周壁面の洗浄には用いられない。そのため、第３洗浄ブラシ部の長さを、第４洗浄ブラシ部を構成する長さ分だけ長く構成すると、洗浄具のコストが高騰化する。
さらに、棒状ブラシのブラシ毛がへたるなどして洗浄機能が低下した場合には、洗浄具全体を取り替える必要がある。
【０００７】
後者の洗浄具では、洗浄保持部に外装された洗浄体のうち、端板に対応する洗浄体部分が胴部の長手方向に対して直交方向にＬ字状に突出するため、このＬ字状の洗浄体部分で容器内の底面を容易に洗浄することができる。さらに、洗浄体の洗浄機能が低下した場合には、柄の洗浄保持部に対して新たな洗浄体を付け替えるだけで済み、交換コストの低廉化を図ることができる。
しかしながら、洗浄保持部の略円形状の端板が胴部に対して直交方向にＬ字状に突出形成されているため、前者と同様に、容器の口部に対して洗浄体を挿入する際、洗浄体のＬ字状の洗浄体部分が容器の口部に引っ掛かるなどして挿入の邪魔になり易い。しかも、容器口部の内径が容器底部の内径よりも小さい上窄まり形状の容器の場合では、Ｌ字状の洗浄体部分の先端で容器における周壁部及び肩部の各内面を洗浄することになるため、容器洗浄に時間がかかるとともに、未洗浄部分が発生し易い。
さらに、洗浄体のＬ字状の洗浄体部分は、ストレート形状の容器の底面の洗浄に専ら用いられるもので、通常、容器の周壁部における周壁面の洗浄には用いられない。そのため、洗浄保持部の胴部に対応する周壁面用の洗浄体部分の長さを、Ｌ字状の洗浄体部分を構成する長さ分だけ長く構成すると、洗浄具のコストが高騰する問題がある。
【０００８】
この実情に鑑み、本発明の主たる課題は、洗浄機能が低下した場合の交換コストの低廉化を図りながら、例え、洗浄対象容器が上窄まり形状の容器であっても、容器の底壁部から周壁部、肩部、口部にいたる内面全域を効率良く洗浄することができ、しかも、洗浄体の位置ずれ防止構造の簡素化を図りながら、容器の底面洗浄時の洗浄長さを自由に調節することのできる洗浄具を提供する点にある。
【課題を解決するための手段】
【０００９】
本発明による第１の特徴構成は、柄本体部の先端に洗浄保持部が形成されている柄と、前記洗浄保持部に対して脱着可能に外装される筒状又は袋状の洗浄体と、が備えられている洗浄具であって、
前記柄の前記洗浄保持部の基端側部位は、前記柄本体部と前記洗浄保持部の先端側部位とが平行又は略平行になる状態で二度屈曲形成され、
前記洗浄保持部の先端とこれに正規装着姿勢で外装された前記洗浄体の先端との間に、当該洗浄体の先端部の屈曲を許容する空隙部が形成され、
前記洗浄体の基端側の装着口部は、前記洗浄保持部の先端側屈曲部を少なくとも越えた柄長手方向での移動抵抗の大きな領域に配置されている点にある。
【００１０】
上記構成によれば、洗浄体の繊維等がへたるなどして洗浄機能が低下した場合の交換コストの低廉化を図るべく、柄の洗浄保持部に対して洗浄体を脱着可能に構成する。このとき、洗浄保持部の先端とこれに正規装着姿勢で外装された洗浄体の先端との間に空隙部を形成する。この空隙部に対応する洗浄体の先端部は、洗浄保持部の先端に対していずれの方向にも屈曲可能となる。これにより、容器内の底面を洗浄する場合、洗浄体の先端部を容器内の底面に当て付けながら屈曲させたい方向に操作力を加えることにより、洗浄体の先端部は容器内の底面の洗浄に適した屈曲姿勢になる。それでいて、容器内の底面に対する押し付け操作力を解除すると、洗浄体の先端部は復元力で元の長い直線洗浄姿勢に復帰するので、容器内の底面及び周壁面を効率良く洗浄することができる。
【００１１】
しかも、柄の洗浄保持部の基端側部位は、柄本体部と洗浄保持部の先端側部位とが平行又は略平行になる状態で二度屈曲形成されているので、容器口部の内径が容器底部の内径よりも小さい上窄まり形状の容器であっても、容器の口部から挿入された洗浄体を、容器における周壁部及び肩部の各内面に対して容易に摺接させることができる。つまり、洗浄保持部の先端側屈曲部から先端までの直線領域に対応する洗浄体の直線洗浄部は、容器内の周壁面に容易に摺接させることができる。洗浄保持部の両屈曲部間に対応する洗浄体の屈曲洗浄部は、容器内の肩内周面に容易に摺接させることができる。これにより、容器内の周壁面及び肩内周面を効率良く洗浄することができる。
【００１２】
さらに、上述の洗浄保持部の基端側部位での二度屈曲構成を利用して、洗浄体が洗浄保持部に対して正規装着姿勢にあるとき、洗浄体の基端側の装着口部は、洗浄保持部の先端側屈曲部を少なくとも越えた柄長手方向での移動抵抗の大きな領域に配置する。これにより、洗浄保持部に対して洗浄体を正規装着姿勢で位置保持するための係合手段を設けなくても、洗浄時における洗浄体の柄長手方向での位置ずれを抑制することができ、洗浄体の先端部での屈曲を許容する空隙部を維持することができる。
しかも、洗浄保持部の屈曲部での移動抵抗を利用して洗浄体の装着口部を所定装着位置に保持しているだけなので、洗浄保持部に対して洗浄体を屈曲部での移動抵抗に抗して柄長手方向に移動操作して、洗浄体の先端部の屈曲を許容する空隙部の長さ、換言すれば、洗浄体の先端部による容器の底面洗浄時の洗浄長さを自由に調節することができる。
【００１３】
したがって、柄の洗浄保持部に対する洗浄体の脱着構造において、洗浄体の先端部の屈曲を許容する空隙を形成し、且つ、洗浄保持部の先端側屈曲部を少なくとも越えた領域に洗浄体の装着口部を配置するといった上述の合理的な改造により、洗浄機能が低下した場合の交換コストの低廉化を図りながら、例え、洗浄対象容器が上窄まり形状の容器であっても、容器の底壁部から周壁部、肩部、口部にいたる内面全域を効率良く洗浄することができ、しかも、洗浄体の位置ずれ防止構造の簡素化を図りながら、洗浄体の先端部による容器の底面洗浄時の洗浄長さを自由に調節することができる。
【００１４】
本発明による第２の特徴構成は、前記洗浄体の装着口部は、前記洗浄保持部の基端側屈曲部を越えた柄長手方向での移動抵抗の最も大きな領域に配置されている点にある。
【００１５】
上記構成によれば、洗浄体の装着口部を、例えば、洗浄保持部の先端側屈曲部と基端側屈曲部との間に配置する場合に比して、洗浄体に付与される柄長手方向での移動抵抗が最も大きくなり、洗浄時における洗浄体の柄長手方向でのずれ動きを一層抑制することができる。
【００１６】
本発明による第３の特徴構成は、前記洗浄保持部における先端から所定長さの領域は、二股状に分かれた一対の保持体から構成され、前記両保持体の先端での外側面間の幅寸法は、前記洗浄体の幅方向の内寸法よりも大に構成され、前記両保持体は、前記外側面間の幅寸法が前記洗浄体の幅方向の内寸法と同一又はそれよりも小となる状態にまで幅方向内方側に撓み変形可能に構成されている点にある。
【００１７】
上記構成によれば、柄の洗浄保持部に対して筒状又は袋状の洗浄体を装着する場合、洗浄保持部における先端から所定長さの領域に構成される二股状の両保持体を、それの外側面間の幅寸法が洗浄体の幅方向の内寸法と同一又はそれよりも小となる状態にまで幅方向内方側に撓み変形操作する。この状態で洗浄体の基端側の装着口部を両保持体の先端側から外装する。そして、洗浄体の装着口部が洗浄保持部の先端側屈曲部を少なくとも越えた領域に位置する正規装着姿勢において、両保持体に加えられていた幅方向内方側への撓み変形操作力が解除されると、両保持体の弾性復元力で当該両保持体の先端部が洗浄体内で突っ張り状態となる。
したがって、両保持体の先端部での突っ張りによる洗浄体の先端側での位置保持作用により、洗浄時における洗浄体の柄長手方向でのずれ動きを一層効果的に抑制することができる。
【００１８】
本発明による第４の特徴構成は、前記洗浄体には、地組織部の一側面に掻き取り用の立毛繊維群と拭き取り用の立毛繊維群とを形成してある洗浄用布帛が備えられている点にある。
【００１９】
上記構成によれば、洗浄体の洗浄用布帛に形成されている二種の立毛繊維群による掻き取り作用と拭き取り作用とにより、容器の被洗浄面に付着した汚れ（茶渋、コーヒーの汚れ、水垢等）を効率良く除去することができる。
【００２０】
本発明による第５の特徴構成は、前記洗浄体には、前記洗浄用布帛の地組織部の他側面に貼着される連続気泡の弾性発泡体が備えられている点にある。
【００２１】
上記構成によれば、洗浄体の連続気泡の弾性発泡体の弾性変形により、二種の立毛繊維群を被洗浄面に適度の力で圧接させることができ、しかも、この圧接時に弾性発泡体に吸収されている洗浄液を立毛繊維群の洗浄位置に供給することができるので、容器の被洗浄面に付着した汚れを一層効率良く除去することができる。
【図面の簡単な説明】
【００２２】
【図１】洗浄具の第１実施形態を示す柄と洗浄体の分離時の斜視図
【図２】柄と洗浄体の分離時の側面図
【図３】洗浄体装着時の要部の側面図
【図４】洗浄体装着時の要部の縦断側面図
【図５】図４におけるＶ−Ｖ線断面図
【図６】柄の洗浄保持部の拡大底面図
【図７】洗浄体の製作説明図
【図８】洗浄説明図
【図９】第２実施形態の洗浄具を示す要部の縦断側面図
【発明を実施するための形態】
【００２３】
〔第１実施形態〕
図１〜図４は、水筒（マグボトルを含む）、コップ、冷水筒、タンブラー、ポット等の容器１の洗浄具を示す。この洗浄具は、柄本体部２の先端に洗浄保持部３が形成されている合成樹脂製（例えば、ポリプロピレン樹脂）の柄Ａと、柄Ａの洗浄保持部３に対して脱着可能に外装される袋状の洗浄体Ｂと、を備える。
洗浄体Ｂの基端には装着口部２０が開口形成され、この洗浄体Ｂの装着口部２０に対して柄Ａの洗浄保持部３が挿入装着される。
【００２４】
柄Ａの洗浄保持部３の基端側部位は、図１、図２に示すように、柄本体部２と洗浄保持部３の先端側部位（後述の先端側直線保持部３１）とが平行又は略平行になる状態で二度直角に屈曲形成されている。そのため、洗浄保持部３は、洗浄体Ｂの先端側直線洗浄部Ｂ１が柄長手方向に沿って装着される先端側直線保持部３１と、洗浄体Ｂの屈曲洗浄部Ｂ２が柄長手方向に対する直交方向に沿って装着される直交保持部３２と、洗浄体Ｂの基端側直線洗浄部Ｂ３が柄長手方向に沿って装着される基端側直線保持部３３とから構成されている。
【００２５】
上述の柄Ａの洗浄保持部３における基端側部位での二度屈曲形成により、図８（ａ）に示すように、容器１の口部１Ａの内径が底壁部１Ｄの内径よりも小さく、且つ、口部１Ａと周壁部１Ｃとの間の肩部１Ｂが傾斜姿勢となる上窄まり形状の容器１であっても、容器１の口部１Ａから挿入された洗浄体Ｂを、容器１における口部１Ａの口内周面１ａから肩部１Ｂの肩内周面１ｂ、周壁部１Ｃの周壁内面１ｃにかけての洗浄対象領域に対して容易に摺接させることができる。
図８（ａ）に示す洗浄時には、洗浄保持部３の先端から先端側屈曲部３０ａまでの先端側直線保持部３１に対応する洗浄体Ｂの先端側直線洗浄部Ｂ１は、容器１内の周壁内面１ｃに摺接する。洗浄保持部３の両屈曲部３０ａ，３０ｂ間の直交保持部３２に対応する洗浄体Ｂの屈曲洗浄部Ｂ２は、容器１内の肩内周面１ｂに摺接する。洗浄保持部３の基端側直線保持部３３に対応する洗浄体Ｂの基端側直線洗浄部Ｂ３は、容器１内の口内周面１ａに摺接する。
これにより、容器１における口部１Ａの口内周面１ａから肩部１Ｂの肩内周面１ｂ、周壁部１Ｃの周壁内面１ｃにかけての洗浄対象領域を効率良く洗浄することができる。
尚、口部１Ａの口内周面１ａは、洗浄体Ｂの先端側直線洗浄部Ｂ１でも洗浄することができる。
【００２６】
図３に示すように、洗浄体Ｂが洗浄保持部３に対して正規装着姿勢にあるとき、洗浄体Ｂの基端側の装着口部２０は、図１〜図４に示すように、洗浄保持部３の先端側屈曲部３０ａを少なくとも越えた柄長手方向での移動抵抗の大きな領域に配置されている。本実施形態では、洗浄体Ｂの基端側の装着口部２０は、洗浄保持部３の基端側屈曲部３０ｂを越えた柄長手方向での移動抵抗の最も大きな領域である基端側直線保持部３３の正規装着位置Ｐに配置されている。この配置状態では、洗浄保持部３の先端側屈曲部３０ａ及び基端側屈曲部３０ｂでの移動抵抗が大きいため、洗浄保持部３に対して洗浄体Ｂを正規装着姿勢で位置保持するための位置ずれ防止構造を設けなくても、洗浄時における洗浄体Ｂの柄長手方向での位置ずれを抑制することができ、洗浄体Ｂの先端部での屈曲を許容する後述の空隙部４を維持することができる。
【００２７】
図１、図６に示すように、洗浄保持部３における先端から所定長さの領域となる先端側直線保持部３１は、二股状の一例であるＶ字状に分かれた一対の保持体３１Ａ，３１Ｂから構成されている。両保持体３１Ａ，３１Ｂの先端での外側面３１ａ，３１ｂ間の幅寸法Ｗ１は、図５に示す洗浄体Ｂの幅方向の内寸法Ｗ２よりも大に構成されている。そのため、両保持体３１Ａ，３１Ｂは、外側面３１ａ，３１ｂ間の幅寸法Ｗ１が洗浄体Ｂの幅方向の内寸法Ｗ２（図５参照）と同一又はそれよりも小となる状態にまで幅方向内方側に撓み変形可能に構成されている。
【００２８】
上述の構成により、柄Ａの洗浄保持部３に対して袋状の洗浄体Ｂを装着する場合には、洗浄保持部３の先端側直線保持部３１を構成する二股状の両保持体３１Ａ，３１Ｂを、それの外側面３１ａ，３１ｂ間の幅寸法Ｗ１が洗浄体Ｂの幅方向の内寸法Ｗ２と同一又はそれよりも小となる状態にまで幅方向内方側に撓み変形操作する。この状態で洗浄体Ｂの基端側の装着口部２０を洗浄保持部３の両保持体３１Ａ，３１Ｂの先端側から外装する。そして、洗浄体Ｂの装着口部２０が洗浄保持部３の基端側屈曲部３０ｂを越えた基端側直線保持部３３の正規装着位置Ｐに位置する正規装着姿勢において、両保持体３１Ａ，３１Ｂに加えられていた幅方向内方側への撓み変形操作力が解除されると、両保持体３１Ａ，３１Ｂの弾性復元力で当該両保持体３１Ａ，３１Ｂの先端部が洗浄体内で突っ張り状態となる。
したがって、両保持体３１Ａ，３１Ｂの先端部での突っ張りによる洗浄体Ｂの先端側での位置保持作用により、洗浄時における洗浄体Ｂの柄長手方向でのずれ動きを一層効果的に抑制することができる。
【００２９】
洗浄体Ｂの全長は、柄Ａの洗浄保持部３の装着長さよりも大なる長さに構成され、図４に示すように、洗浄体Ｂが洗浄保持部３に対して正規装着姿勢にあるとき、洗浄保持部３の先端とこれに柄長手方向で相対向する洗浄体Ｂの内面先端との間には、洗浄体Ｂの先端部Ｂ１ａの屈曲を許容する空隙部４が形成されている。この空隙部４に対応する洗浄体Ｂの先端部Ｂ１ａは、図４中の仮想線で示すように、洗浄保持部３の先端に対していずれの方向にも屈曲可能となる。これにより、図８（ｂ）、（ｃ）に示すように、容器１内の底面１ｄを洗浄する場合、洗浄体Ｂの先端部Ｂ１ａを容器１内の底面１ｄに当て付けながら屈曲させたい方向に操作力を加えることにより、洗浄体Ｂの先端部Ｂ１ａは容器１内の底面１ｄの洗浄に適した屈曲姿勢になる。それでいて、図８（ａ）に示すように、容器１内の底面１ｄに対する押し付け操作力を解除すると、洗浄体Ｂの先端部Ｂ１ａは復元力で元の長い直線洗浄姿勢に復帰するので、容器１内の底面１ｄ及び周壁内面１ｃを効率良く洗浄することができる。
【００３０】
しかも、上述のように、洗浄保持部３の先端側屈曲部３０ａ及び基端側屈曲部３０ｂでの移動抵抗を利用して、洗浄体Ｂの装着口部２０を所定装着位置に保持しているだけなので、洗浄保持部３に対して洗浄体Ｂを先端側屈曲部３０ａ及び基端側屈曲部３０ｂでの移動抵抗に抗して柄長手方向に移動操作することができる。これにより、洗浄体Ｂの先端部の屈曲を許容する空隙部４の長さ、換言すれば、洗浄体Ｂの先端部Ｂ１ａによる容器１の底面１ｄの洗浄時の洗浄長さを自由に調節することができる。
【００３１】
洗浄保持部３の先端側直線保持部３１を構成する両保持体３１Ａ，３１Ｂの各々は、図５に示すように横断面形状が略正方形に構成され、両保持体３１Ａ，３１Ｂの外側面３１ａ，３１ｂにおける柄長手方向の複数個所には、洗浄体Ｂの内面に食い込む複数の先鋭な係止突起３４が一体形成されている。両保持体３１Ａ，３１Ｂの外側面３１ａ，３１ｂの複数の係止突起３４が洗浄体Ｂの内面に食い込むことにより、摺接状態での洗浄時における洗浄体Ｂの柄長手方向でのずれ移動や捻れを抑制することができる。
【００３２】
洗浄体Ｂには、地組織部２１ａの一側面に掻き取り用の立毛繊維群２１ｂと拭き取り用の立毛繊維群２１ｃとを形成してある洗浄用布帛２１が備えられ、洗浄用布帛２１の地組織部２１ａの他側面には、連続気泡を備えた弾性発泡体の一例であるウレタンフォーム製のスポンジ２２が接着剤や熱融着等により貼着されている。
掻き取り用の立毛繊維群２１ｂは、合成繊維フィラメント糸の一例である細繊度のポリエステルフィラメント糸から構成されている。拭き取り用の立毛繊維群２１ｃは、合成繊維フィラメント糸の一例であるアクリルフィラメント糸から構成されている。アクリルフィラメント糸の単糸断面形状は、三角形、Ｙ字形、星形等の非円形で、且つ、フィラメント長手方向に連続する一つ又は複数のエッジを有する異形断面形状に構成されている。
そして、腰・反発性を備えた細繊度のポリエステルフィラメント糸から構成される掻き取り用の立毛繊維群２１ｂにより、容器１の被洗浄面に存在する無数の微小な溝や傷内の微細な汚れを掻き出し除去することができる。また、一つ又は複数のエッジを有する異形断面形状のアクリルフィラメント糸から構成される拭き取り用の立毛繊維群２１ｃにより、容器１の被洗浄面にこびりついた汚れ（茶渋、コーヒーの汚れ、水垢等）を掻き落としながら拭き取ることができる。
【００３３】
また、洗浄用布帛２１の地組織部２１ａの他側面に貼着されているスポンジ２２の弾性変形により、二種の立毛繊維群２１ｂ，２１ｃを容器１の被洗浄面に適度の力で圧接させることができ、しかも、この圧接時にスポンジ２２に吸収されている洗浄液を立毛繊維群２１ｂ，２１ｃの洗浄位置に供給することができるので、容器１の被洗浄面に付着した汚れを一層効率良く除去することができる。
【００３４】
図７は、洗浄体Ｂの製作方法の一例を示す。この製作方法では、図７（ａ）に示すように、洗浄用布帛２１の地組織部２１ａの他側面にスポンジ２２が貼着されている洗浄生地材２５を用いる。
図示は省略するが、洗浄用布帛２１の着口部２０側となる所定幅の一端部２５ａを、洗浄用布帛２１の立毛繊維群２１ｂ，２１ｃが外方に位置する状態で折り返す。その折り返し端部２５ａを第１縫着ライン２６ａに沿って縫製する（図７（ｂ）、（ｃ）参照）。
次に、図７（ａ）に示すように、洗浄生地材２５を、洗浄用布帛２１の立毛繊維群２１ｂ，２１ｃが内方に位置する状態で二つ折りにする。二つ折りにされた洗浄生地材２５は、図７（ｂ）、（ｃ）に示すように、長辺側の合わせ側端縁２５ｂを第２縫着ライン２６ｂに沿って縫製し、且つ、短辺側の合わせ側端縁２５ｃを第３縫着ライン２６ｃに沿って縫製する。
縫製された洗浄生地材２５の短辺側の合わせ側端縁２５ｃが洗浄体Ｂの先端側になり、図１に示すように、洗浄体Ｂの先端を円弧状に構成する場合には、第３縫着ライン２６ｃを円弧状にする。
製作方法の最終工程として、袋状に縫製された洗浄生地材２５を、立毛繊維群２１ｂ，２１ｃが外面全体に現れるように、表裏を反転する。
【００３５】
上述のように、洗浄体Ｂは、洗浄用布帛２１及びウレタンフォーム製のスポンジ２２を備えた洗浄生地材２５を二つ折りにしてその合わせ側端縁２５ｂ，２５ｃを縫製し、袋状に縫製された洗浄生地材２５の表裏を反転するため、洗浄体Ｂの先端部Ｂ１ａの屈曲姿勢から直線洗浄姿勢への復元力を高めることができる。そのため、図８（ａ）に示すように、洗浄体Ｂ内の先端側に空隙部４が形成されていても、直線洗浄姿勢にある洗浄体Ｂの先端部Ｂ１ａを容器１の被洗浄面に的確に押し付けた状態で洗浄することができ、洗浄体Ｂの先端部Ｂ１ａが直線洗浄姿勢にある状態での洗浄効果を高めることができる。
【００３６】
〔第２実施形態〕
図９は、洗浄具の別実施形態を示す。洗浄具は、柄本体部２の先端に洗浄保持部３が形成されている合成樹脂製の柄Ａと、柄Ａの洗浄保持部３に対して脱着可能に外装される筒状の洗浄体Ｂと、を備える。洗浄体Ｂの両端には装着口部２０Ａ，２０Ｂが開口形成され、この洗浄体Ｂの一方の装着口部２０Ａに対して柄Ａの洗浄保持部３が挿入装着される。
洗浄体Ｂが洗浄保持部３に対して正規装着姿勢にあるとき、洗浄体Ｂの基端側となる一方の装着口部２０Ａは、第１実施形態と同様に、洗浄保持部３の基端側屈曲部３０ｂを越えた柄長手方向での移動抵抗の最も大きな領域である基端側直線保持部３３の正規装着位置Ｐに配置されている。
【００３７】
洗浄体Ｂの全長は、柄Ａの洗浄保持部３の装着長さよりも大なる長さに構成され、図９に示すように、洗浄体Ｂが洗浄保持部３に対して正規装着姿勢にあるとき、洗浄保持部３の先端とこれに柄長手方向で相対向する洗浄体Ｂの他方の装着口部２０Ｂの内面先端との間には、洗浄体Ｂの先端部Ｂ１ａの屈曲を許容する空隙部４が形成されている。
尚、その他の構成は、第１実施形態で説明した構成と同一であるから、同一の構成箇所には、第１実施形態と同一の番号を付記してそれの説明は省略する。
【００３８】
〔その他の実施形態〕
（１）上述の各実施形態では、地組織部２１ａの一側面に掻き取り用の立毛繊維群２１ｂと拭き取り用の立毛繊維群２１ｃとを形成してある洗浄用布帛２１を用いた洗浄体Ｂを例に挙げたが、一種類の立毛繊維群を地組織部２１ａの一側面に形成してある洗浄用布帛２１を用いて実施してもよい。さらに、洗浄性能の異なる三種類以上の立毛繊維群を地組織部２１ａの一側面に形成してある洗浄用布帛２１を用いて実施してもよい。
【００３９】
（２）上述の各実施形態では、洗浄体Ｂを、洗浄用布帛２１とウレタンフォーム製のスポンジ２２との組み合せから構成したが、洗浄用布帛２１のみから構成してもよい。
【００４０】
（３）上述の第１実施形態では、洗浄体Ｂを袋状に構成し、第２実施形態では、洗浄体Ｂを筒状に構成したが、洗浄体Ｂを、面ファスナー等で柄Ａの洗浄保持部３に筒状又は袋状に巻き付ける構造に構成してもよい。
【００４１】
（４）上述の各実施形態では、洗浄体Ｂが洗浄保持部３に対して正規装着姿勢にあるとき、洗浄保持部３の先端とこれに柄長手方向で相対向する洗浄体Ｂの内面先端との間に空隙部４の空間を形成したが、洗浄体Ｂの先端部Ｂ１ａの屈曲を許容する状態で空隙部４内にスポンジ等が設けられてもよい。
【００４２】
（５）上述の各実施形態では、柄Ａの洗浄保持部３の基端側部位を、柄本体部２と洗浄保持部３の先端側部位とが平行又は略平行になる状態で二度直角に屈曲形成したが、この洗浄保持部３の基端側部位を、柄本体部２と洗浄保持部３の先端側部位とが平行又は略平行になる状態で二度鋭角又は鈍角に屈曲形成してもよい。
【００４３】
（６）上述の各実施形態では、洗浄保持部３の先端側直線保持部３１の全体を、二股状の一対の保持体３１Ａ，３１Ｂから構成したが、先端側直線保持部３１の先端から中間位置までの前半側領域を、二股状の一対の保持体３１Ａ，３１Ｂから構成してもよい。
また、洗浄保持部３の先端側直線保持部３１及び直交保持部３２を、二股状の一対の保持体から構成してもよく、さらに、洗浄保持部３の全体を二股状の一対の保持体から構成してもよい。
【００４４】
（７）上述の各実施形態では、洗浄体Ｂが洗浄保持部３に対して正規装着姿勢にあるとき、洗浄体Ｂの装着口部２０を、洗浄保持部３の基端側屈曲部３０ｂを越えた柄長手方向での移動抵抗の最も大きな領域に配置したが、洗浄体Ｂの装着口部２０を、洗浄保持部３の先端側屈曲部３０ａと基端側屈曲部３０ｂとの間の領域に配置してもよい。
【符号の説明】
【００４５】
２        柄本体部
３        洗浄保持部
４        空隙部
２０      装着口部
２０Ａ    装着口部
２０Ｂ    装着口部
２１ａ    地組織部
２１ｂ    掻き取り用の立毛繊維群
２１ｃ    拭き取り用の立毛繊維群
２２      弾性発泡体（ウレタンフォーム製スポンジ）
３０ａ    先端側屈曲部
３０ｂ    基端側屈曲部
３１Ａ    保持体
３１Ｂ    保持体
３１ａ    外側面
３１ｂ    外側面
Ａ        柄
Ｂ        洗浄体
Ｂ１ａ    先端部
Ｗ１      幅寸法
Ｗ２      内寸法
【図１】
2019010422.tif 000003
【図２】
2019010422.tif 000004
【図３】
2019010422.tif 000005
【図４】
2019010422.tif 000006
【図５】
2019010422.tif 000007
【図６】
2019010422.tif 000008
【図７】
2019010422.tif 000009
【図８】
2019010422.tif 000010
【図９】
2019010422.tif 000011